(57)【要約】      （修正有）【課題】記録された画像データを容易に確認し得るデジタルカメラ及びデジタルカメラシステムを提供する。【解決手段】記録媒体は無線通信部と主画像データ記録用の第一の画像記録部と縮小画像データ記録用の第二の画像記録部とを備え、デジタルカメラは無線通信部とデジタル画像データ生成部と主画像データをコネクト端子を介して第一の画像記録部に記録する主画像記録部と縮小画像生成部と縮小画像データを両無線通信部を介して第二の画像記録部に記録する縮小画像記録部と第二の画像記録部から縮小画像データを読み出す縮小画像読出部と、読み出した縮小画像データの縮小画像を表示する画像表示部とを具備し、縮小画像読出部は記録媒体がデジタルカメラに装着されていない状態で第二の画像記録部から縮小画像データを読み出す構成する。【選択図】図１
2006140630.tif 000002
【特許請求の範囲】
【請求項１】
デジタルカメラと、このデジタルカメラに着脱自在に構成される記録媒体とを具備するデジタルカメラシステムにおいて、
上記記録媒体は、上記デジタルカメラとの無線通信をおこなう記録媒体側無線通信部と、主画像データを記録するための第一の画像記録部と、この第一の画像記録部に記録された主画像データに対応する表示用の縮小画像データを記録するための第二の画像記録部と、を具備し、
上記デジタルカメラは、上記記録媒体側無線通信部との無線通信をおこなうカメラ側無線通信部と、撮像素子により取得した撮像信号に基づいてデジタル画像データを生成するデジタル画像データ生成部と、このデジタル画像データ生成部により生成されるデジタル画像データを上記主画像データとしてコネクト端子を介して上記第一の画像記録部に記録する主画像記録部と、上記デジタル画像データに基づいて対応する縮小画像データを生成する縮小画像生成部と、この縮小画像生成部により生成される縮小画像データを上記カメラ側無線通信部及び上記記録媒体側無線通信部を介して上記第二の画像記録部に記録する縮小画像記録部と、上記カメラ側無線通信部及び上記記録媒体側無線通信部を介して上記第二の画像記録部から上記縮小画像データを読み出す縮小画像読出部と、上記縮小画像読出部により読み出した上記縮小画像データに基づく縮小画像を表示する画像表示部と、を具備しており、
上記縮小画像読出部は、上記記録媒体が上記デジタルカメラに装着されていない状態において上記第二の画像記録部から上記縮小画像データを読み出し得るように構成されていることを特徴とするデジタルカメラシステム。
【請求項２】
上記カメラ側無線通信部は、上記記録媒体側無線通信部に対して非接触で電力供給をおこなうことを特徴とする請求項１に記載のデジタルカメラシステム。
【請求項３】
上記記録媒体側無線通信部は、上記デジタルカメラから発せられた磁界によって電力を発生させる手段を有していることを特徴とする請求項２に記載のデジタルカメラシステム。
【請求項４】
少なくとも上記第二の画像記録部と上記記録媒体側無線通信部とは、単一のＩＣチップ上に形成されていることを特徴とする請求項１に記載のデジタルカメラシステム。
【請求項５】
上記第二の画像記録部は、所定枚数分の縮小画像に対応する縮小画像データを記録し得る記録容量を有していることを特徴とする請求項１に記載のデジタルカメラシステム。
【請求項６】
上記第二の画像記録部は、上記記録容量が不足した場合には、少なくとも上記記録媒体の上記第一の画像記録部に記録されている上記主画像データのうち最新の主画像データに対応する縮小画像データを記録することを特徴とする請求項５に記載のデジタルカメラシステム。
【請求項７】
上記画像表示部は、上記縮小画像読出部によって読み出された縮小画像データに基づく縮小画像を並べて表示することを特徴とする請求項１に記載のデジタルカメラシステム。
【請求項８】
上記画像表示部は、上記縮小画像読出部によって読み出された縮小画像データに基づく縮小画像を所定時間間隔で順に切り換え表示することを特徴とする請求項１に記載のデジタルカメラシステム。
【請求項９】
着脱自在に設けられる記録媒体に画像データを記録し得るデジタルカメラにおいて、
撮像素子により取得される撮像信号に基づいてデジタル画像データを生成するデジタル画像データ生成部と、
上記記録媒体が装着された状態において上記デジタル画像データを上記記録媒体に記録する主画像記録部と、
上記デジタル画像データに基づいて縮小画像データを生成する縮小画像生成部と、
上記記録媒体が装着された状態において上記縮小画像データを上記記録媒体に記録する縮小画像記録部と、
少なくとも上記記録媒体が装着されていない状態において上記記録媒体から非接触通信によって上記縮小画像データを読み出す縮小画像読出部と、
上記縮小画像読出部により読み出される縮小画像データに基づく縮小画像を表示する画像表示部と、
を具備したことを特徴とするデジタルカメラ。
【請求項１０】
上記画像表示部は、上記縮小画像読出部によって読み出された縮小画像データに基づく縮小画像を複数並べて表示することを特徴とする請求項９に記載のデジタルカメラ。
【請求項１１】
上記画像表示部は、上記縮小画像読出部によって読み出された縮小画像データに基づく縮小画像を所定時間間隔で順に切り換え表示することを特徴とする請求項９に記載のデジタルカメラシステム。
【請求項１２】
着脱自在に設けられる記録媒体に画像データを記録し得るデジタルカメラにおいて、
上記記録媒体との間で無線通信をおこなう無線通信手段と、
上記記録媒体が装着されていない状態において上記無線通信手段を介して上記記録媒体から画像データを読み出す読出手段と、
上記読出手段により読み出される画像データに基づく画像を表示する表示手段と、
を具備することを特徴とするデジタルカメラ。
【請求項１３】
上記無線通信手段は、上記記録媒体内に配置された無線通信回路に非接触で電力を供給する手段を含むことを特徴とする請求項１２に記載のデジタルカメラ。
【請求項１４】
上記表示手段は、上記読出手段によって読み出された画像データに基づく画像を並べて表示することを特徴とする請求項１２に記載のデジタルカメラ。
【請求項１５】
上記表示手段は、上記読手段によって読み出された画像データに基づく画像を所定時間間隔で順に切り換え表示することを特徴とする請求項１２に記載のデジタルカメラ。
【請求項１６】
上記読出手段によって読み出される画像データは、縮小化されたサムネイル画像であることを特徴とする請求項１２に記載のデジタルカメラ。
【請求項１７】
着脱自在に設けられる記録媒体に画像データを記録し得るデジタルカメラにおいて、
少なくとも上記記録媒体を装着していない状態において上記記録媒体に記録されている画像データを非接触によって読み出す手段と、
読み出した画像データに基づく画像を表示する手段と、
を具備していることを特徴とするデジタルカメラ。
【請求項１８】
上記記録媒体に非接触で電力供給をおこなう手段を具備していることを特徴とする請求項１７に記載のデジタルカメラ。
【発明の詳細な説明】
【技術分野】
【０００１】
この発明は、デジタルカメラシステムとこのシステムに適用されるデジタルカメラ、詳しくはデジタルカメラとこのデジタルカメラに着脱自在に構成される記録媒体とを具備し、デジタルカメラで取得した画像データを記録媒体に記録し得るように構成されるデジタルカメラシステムとこのシステムに適用されるデジタルカメラに関するものである。
【背景技術】
【０００２】
従来より、撮像素子を用いて画像データを取得するデジタルカメラと、このデジタルカメラに着脱自在に構成される記録媒体とからなり、同デジタルカメラで取得される画像データを同デジタルカメラに装着された記録媒体に記録するように構成されるデジタルカメラシステムについては、種々の提案がなされ、また一般的に実用化されている。
【０００３】
このような形態のデジタルカメラシステムとしては、一般的なデジタルカメラ及び記録媒体からなるもののみに限らず、撮像素子等を用いて電子的な画像データを取得する撮影機能を備えた各種の電子機器、例えば携帯電話やＰＤＡ装置（Ｐersonal Ｄigital Ａssistance；個人用手帳型携帯電子機器）や携帯用小型コンピュータ等、さまざまな形態のものがある。
【０００４】
従来のデジタルカメラシステムにおいては、例えばメモリカード等のカード形状からなる記録媒体を着脱自在に配設するようにしたものが一般である。この記録媒体が装着されたデジタルカメラは、撮影動作がおこなわれることによって画像データが取得され、その画像データが記録媒体に記録されるようになっている。
【０００５】
このようにして記録媒体に記録された画像データについては、その画像データがどのような内容のものであるかを簡単に確認することができれば至便である。つまり、従来の一般的な記録媒体は、その内部にどのような画像データが記録されているか等といった情報、つまり記録媒体の使用状況等の情報をその記録媒体の外観上から識別することができないようになっている。
【０００６】
そこで、例えば特開平１１−３１７９３０号公報等によって開示されているデジタルカメラでは、記録媒体に記録されている画像データに基づく画像をデジタルカメラに設けられる液晶表示部を用いて表示することができるようになっている。この場合において、液晶表示部には、記録媒体に記録済みの画像データに基づく画像が複数並べて表示されるようにしている。これにより、記録媒体に記録された画像の概要を誰でもいつでも簡単に確認することができるというものである。
【特許文献１】特開平１１−３１７９３０号公報
【発明の開示】
【発明が解決しようとする課題】
【０００７】
ところが、上記特開平１１−３１７９３０号公報等によって開示される手段では、記録媒体に記録されている画像データや、同記録媒体の使用状況等の情報を確認するためには、その記録媒体を実際にデジタルカメラに装着した状態とする必要がある。この場合において、複数の記録媒体を確認するには、各記録媒体の着脱操作を繰り返さなければならず、その作業が煩瑣である。また、このような作業は、撮影作業を中断させてしまうことになるので、例えば撮影好機（いわゆるシャッターチャンス）を逃してしまう等の問題が生じる可能性も考えられる。このことから、従来おこなわれているように、記録媒体の着脱を伴う確認手段では撮影作業中の動作には適さないといえる。
【０００８】
本発明は、上述した点に鑑みてなされたものであって、その目的とするところは、デジタルカメラによって記録媒体に記録された画像データの内容を煩雑な操作をおこなうことなく容易に確認することのできるデジタルカメラシステムとこのシステムに適用されるデジタルカメラを提供することである。
【課題を解決するための手段】
【０００９】
上記目的を達成するために、本発明によるデジタルカメラシステムは、デジタルカメラと、このデジタルカメラに着脱自在に構成される記録媒体とを具備するデジタルカメラシステムにおいて、上記記録媒体は、上記デジタルカメラとの無線通信をおこなう記録媒体側無線通信部と、主画像データを記録するための第一の画像記録部と、この第一の画像記録部に記録された主画像データに対応する表示用の縮小画像データを記録するための第二の画像記録部と、を具備し、上記デジタルカメラは、上記記録媒体側無線通信部との無線通信をおこなうカメラ側無線通信部と、撮像素子により取得した撮像信号に基づいてデジタル画像データを生成するデジタル画像データ生成部と、このデジタル画像データ生成部により生成されるデジタル画像データを上記主画像データとしてコネクト端子を介して上記第一の画像記録部に記録する主画像記録部と、上記デジタル画像データに基づいて対応する縮小画像データを生成する縮小画像生成部と、この縮小画像生成部により生成される縮小画像データを上記カメラ側無線通信部及び上記記録媒体側無線通信部を介して上記第二の画像記録部に記録する縮小画像記録部と、上記カメラ側無線通信部及び上記記録媒体側無線通信部を介して上記第二の画像記録部から上記縮小画像データを読み出す縮小画像読出部と、上記縮小画像読出部により読み出した上記縮小画像データに基づく縮小画像を表示する画像表示部と、を具備しており、上記縮小画像読出部は、上記記録媒体が上記デジタルカメラに装着されていない状態において上記第二の画像記録部から上記縮小画像データを読み出し得るように構成されていることを特徴とする。
【発明の効果】
【００１０】
本発明によれば、デジタルカメラによって記録媒体に記録された画像データの内容を煩雑な操作をおこなうことなく容易に確認することのできるデジタルカメラシステムとこのシステムに適用されるデジタルカメラを提供することができる。
【発明を実施するための最良の形態】
【００１１】
以下、図示の実施の形態によって本発明を説明する。  
図１は、本発明の一実施形態のデジタルカメラシステムにおける主要構成要素のうち本発明に関わる構成要素のみを示すブロック構成図である。
【００１２】
図１に示すように、本実施形態のデジタルカメラシステム１は、撮像素子（図１では図示せず）等を用いて画像データを取得するデジタルカメラ２０と、このデジタルカメラ２０に対して着脱自在となるように構成され上記デジタルカメラ２０によって取得される画像データを記録し得るようになされた記録媒体８１とによって構成されている。
【００１３】
デジタルカメラ２０は、記録媒体８１が装着された状態において所定の操作をおこなうことで、同記録媒体８１に対して取得した画像データの書き込みや消去をおこなうことができるように構成されている。
【００１４】
つまり、デジタルカメラ２０は、撮像動作に伴って出力される撮像素子（図１では図示せず）からの出力信号を受けてこれに基づくデジタル画像データを生成するデジタル画像データ生成部１９ａと、このデジタル画像データ生成部１９ａによって生成されるデジタル画像データを受けてこれを記録形式の画像データに変換する信号処理をおこなう主画像記録部１８ａと、デジタルカメラ２０と記録媒体８１とを電気的に接続するコネクト端子を備えた通信コネクタ５３と、上記デジタル画像データ生成部１９ａによって生成されるデジタル画像データに基づいて対応する縮小画像データ（サムネイル画像データともいう）を生成する縮小画像生成部１９ｂと、この縮小画像生成部１９ｂによって生成される縮小画像データを受けてこれを通信及び記録形式の画像データに変換する信号処理をおこなう縮小画像記録部１８ｂと、この縮小画像記録部１８ｂから出力される通信及び記録形式の画像データを受けてこれを所定の無線通信によるデータ転送をおこなう無線通信手段であるカメラ側無線通信部２９と、記録媒体８１の第二の画像記録部８１ｂに記録されている縮小画像データを記録媒体側無線通信部８５及びカメラ側無線通信部２９を介して読み出す読出手段である縮小画像読出部１７と、この縮小画像読出部１７からの出力信号（縮小画像データ）を受けて所定の表示形式（一覧表示形式やスライドショー表示形式等）の各種の表示形式によって表示する画像表示部であり表示手段である画像表示用液晶モニタ（ＬＣＤ；Ｌiquid Ｃrystal Ｄisplay；以下画像表示用ＬＣＤという）６９等を有して構成されている。
【００１５】
一方、記録媒体８１は、デジタルカメラ２０の通信コネクタ５３の接点部（図１では図示せず。図３の符号５３ａ参照）に接触することでデジタルカメラ２０と記録媒体８１とを電気的に接続する接点部（図１では図示せず。図３の符号５３ｂ参照）と、デジタルカメラ２０側の主画像記録部１８ａから出力される記録形式の画像データを通信コネクタ５３を介して受け取ってこれを記録する第一の画像記録部８１ａと、デジタルカメラ２０側のカメラ側無線通信部２９から無線通信によってデータ転送される通信及び記録形式の画像データを受信する記録媒体側無線通信部８５と、この記録媒体側無線通信部８５からの出力（縮小画像データ）を受けてこれを記録する第二の画像記録部８１ｂ等を有して構成されている。
【００１６】
なお、デジタルカメラ２０の縮小画像記録部１８ｂにおいて生成される縮小画像データは、記録媒体８１にどのような画像データが記録されているかを確認するための表示用画像データである。また、カメラ側無線通信部２９と記録媒体側無線通信部８５との間でおこなわれるデータ転送は、非接触の無線通信によっておこなわれる。
【００１７】
次に、本実施形態のデジタルカメラシステム１の作用の概略を簡単に説明する。
【００１８】
まず、デジタルカメラ２０の所定の部位に対して記録媒体８１を装着した状態の動作は以下の通りである。
【００１９】
操作部材等からの所定の指令信号を待機している状態にある。具体的には、例えばここでデジタルカメラ２０は撮影動作を待機する状態にある。
【００２０】
本デジタルカメラ２０の撮影動作は、使用者によってレリーズ操作がおこなわれることによって開始される。同レリーズ操作に応答して駆動される撮像素子（図１では図示せず）によって光学的な被写体像を所定の形態の電気的な画像信号に変換する光電変換処理がなされて電気的な画像信号が取得される。この電気的な画像信号は、デジタル画像データ生成部１９ａへと出力されて、デジタル画像データが生成される。このデジタル画像データは、主画像記録部１８ａにおいておこなわれる信号処理によって記録形式の画像データへと変換される。この記録形式の画像データ（主画像データ）は、通信コネクタ５３を介して記録媒体８１側へと伝送され第一の画像記録部８１ａに記録される。
【００２１】
また、上述の一連の撮像動作（撮像及び画像データ生成，記録動作等）と並行して次の動作が実行される。
【００２２】
すなわち、上述の撮像動作によって取得されたデジタル画像データは、デジタル画像データ生成部１９ａから上述の主画像記録部１８ａとは別に縮小画像生成部１９ｂへも同時に出力される。
【００２３】
この縮小画像生成部１９ｂにおいては、上記デジタル画像データに基づいて縮小画像データ（サムネイル画像データ）を生成する所定の信号処理がなされる。これによりが縮小画像データが生成される。この縮小画像データは、縮小画像記録部１８ｂにおいて通信及び記録形式の画像データに変換する信号処理が施された後、カメラ側無線通信部２９へと出力される。これを受けてカメラ側無線通信部２９は、記録媒体側無線通信部８５に向けて無線通信によるデータ転送をおこなう。
【００２４】
このデータ転送によって転送された縮小画像データは、記録媒体側無線通信部８５を介して第二の画像記録部８１ｂに記録される。
【００２５】
他方、デジタルカメラ２０を用いて記録媒体８１に記録されている画像データの内容の確認をおこなう際の動作は次のようになる。
【００２６】
使用者が記録媒体８１の画像データ内容を確認するための所定の操作をおこなうと、縮小画像読出部１７は、記録媒体側無線通信部８５及びカメラ側無線通信部２９を介して記録媒体８１の第二の画像記録部８１ｂに記録されている縮小画像データを読み出す処理を実行する。
【００２７】
縮小画像読出部１７によって読み出された縮小画像データは、画像表示用ＬＣＤ６９へと出力される。この画像表示用ＬＣＤ６９は、縮小画像読出部１７からの出力信号（縮小画像データ）を受けて、これを所定の表示形式で表示し得る形態の信号に変換する信号処理を施した後、画像表示動作をおこなう。ここで行なわれる画像表示動作は、例えば複数画像を表形式で並べて表示する一覧表示形式の表示動作や複数の画像を所定時間毎に順に表示するスライドショー表示形式の表示動作などである。
【００２８】
上述したように、本実施形態のデジタルカメラシステム１においては、デジタルカメラ２０と記録媒体８１との間で無線通信をおこなうことにより、記録媒体８１に記録されている縮小画像データをデジタルカメラ２０側に読み出して、これをデジタルカメラ２０の画像表示用ＬＣＤ６９を用いて表示することで、その画像データの内容を確認することができるように構成している。
【００２９】
この画像データ内容確認動作は、デジタルカメラ２０に対して記録媒体８１が装着されている状態であっても、記録媒体８１が装着されていない状態であっても、いずれの場合にもおこなうことができるようになっている。
【００３０】
すなわち、具体的には、例えばデジタルカメラ２０に対して記録媒体８１が装着されていない状態であって、かつデジタルカメラ２０の主電源がオン状態にある状態において、このデジタルカメラ２０に対して記録媒体８１を所定の距離以内に近付けたとする。このような状態においても、本実施形態のデジタルカメラシステム１では、カメラ側無線通信部２９と記録媒体側無線通信部８５との間の無線通信によるデータ転送をおこなうことができるようになっている。その結果、記録媒体８１の第二のデータ記録部８６ｂに記録されている縮小画像データは、記録媒体側無線通信部８５及びカメラ側無線通信部２９を介してデジタルカメラ２０の縮小画像読出部１７へと読み出され、所定形式で画像表示用ＬＣＤ６９に表示されるのは、上述した通りである。
【００３１】
つまり、使用者は記録媒体８１をデジタルカメラ２０に近付けるだけで、その記録媒体８１の内部にどのような画像が記録されているかを確認できるようになっている。
【００３２】
なお、このような形態のデジタルカメラシステム１としては、一般的なデジタルカメラ２０に限らず、撮像素子等を用いて電子的な画像データを取得する撮影機能を備えた各種の電子機器、例えば携帯電話やＰＤＡ装置（Ｐersonal Ｄigital Ａssistance；個人用手帳型携帯電子機器）や携帯用小型コンピュータ等、さまざまな形態のものに適用することが考えられる。
【００３３】
本実施形態のデジタルカメラシステム１の構成について、さらに詳しく説明する。
【００３４】
図２は、本実施形態のデジタルカメラシステムを示し、このデジタルカメラシステムを構成するデジタルカメラを背面側から見た際の外観を示すと共に、記録媒体が装着される際の状態を示す斜視図である。図３は、図２のデジタルカメラシステムの概略構成を示すブロック構成図である。なお、図３においては、デジタルカメラに対して記録媒体が装着されている状態を示している。図４は、本実施形態のデジタルカメラシステムにおける記録媒体のＩＣタグの構成を示すブロック構成図である。
【００３５】
本実施形態のデジタルカメラ２０は、カメラボディ２１と、このカメラボディ２１に対して着脱自在に設けられるレンズ鏡筒２２とによって主に構成されている。
【００３６】
カメラボディ２１には、フラッシュメモリ等の不揮発性メモリを適用するメモリカードであって画像データを記録する記録媒体８１が着脱自在に配設されるようになっている。
【００３７】
図２に示すように、カメラボディ２１のボディ外装の前面側にレンズ鏡筒２２が装着自在に配設されている。また、カメラボディ２１のボディ外装の上面部には、メインスイッチ８９（図３参照）を作動させる操作用のメインスイッチボタン２３と、レリーズスイッチ９１（図３参照）を作動させる操作用のレリーズスイッチボタン２５と、動作表示用ＬＣＤ７５等が配設されている。そして、カメラボディ２１のボディ外装の背面部には、ファインダ接眼窓２６と、モードスイッチ９０（図３参照）を作動させる操作用のモード設定スイッチボタン２４と、画像表示用ＬＣＤ６９等が配設されている。
【００３８】
カメラボディ２１のボディ外装の側面部には、開閉自在に構成される記録媒体収納部蓋２８が配設されている。この記録媒体収納部蓋２８の内側には、通信コネクタ５３（図２では図示せず。図１及び図３参照）を具備する記録媒体収納部２７が形成されている。
【００３９】
さらに、カメラボディ２１の内部であって記録媒体収納部２７の近傍には、カメラ側無線通信部２９の一部を構成するアンテナ８４が配設されている。
【００４０】
また、カメラボディ２１のボディ外装の内部において、記録媒体収納部２７内の所定の部位には記録媒体収納部蓋２８の開閉状態を検出するための蓋スイッチ９２（図２では図示せず。図３参照）が配設されている。
【００４１】
カメラボディ２１の内部には、図３に示すように反射鏡３１，サブミラー３２，ペンタプリズム３８，接眼レンズ３９等の光学系部材からなる一眼レフレックス構成部材と、フォーカルプレーン形式のシャッターユニット３３と、撮像系部材としての撮像ユニット６７や測距系部材であるＡＦセンサユニット４０等が配設されている。
【００４２】
撮像ユニット６７は、上記光学系部材の光軸Ｏに沿う線上に配置され、上記光学系部材を通過して形成される被写体像に対して光電変換して電気的な画像信号を生成する撮像素子等によって形成されている。
【００４３】
また、カメラボディ２１の内部には、カメラボディ２１側の全ての電気的な制御を司るボディ制御用マイクロコンピュータ５１と、制御駆動系部材としてのＡＦセンサ駆動回路６１やミラー駆動機構部６２やシャッタチャージ機構部６３やシャッタ制御回路６４や測光回路６８や不揮発性メモリ（ＥＥＰＲＯＭ）６５等が配設されている。
【００４４】
さらに、カメラボディ２１の内部には、画像処理系部材としてのインターフェース回路７１や画像処理コントローラ７２やＳＤＲＡＭ７３やＦｌａｓｈＲＯＭ７４等が配設されている。
【００４５】
そして、カメラボディ２１の内部には、表示系部材としての画像表示用ＬＣＤ６９と動作表示用ＬＣＤ７５とが配設される。
【００４６】
また、カメラボディ２１の内部には、操作スイッチ群としてのメインスイッチ８９とモードスイッチ９０とレリーズスイッチ９１と蓋スイッチ９２等が配設されている。
【００４７】
さらにまた、カメラボディ２１の内部には、電源系部材としての電池８７と電源回路８８とが配設されている。
【００４８】
そして、カメラボディ２１の内部には、無線通信系部材としてのリーダライタ回路８３とカメラ側無線通信部２９の一部を構成するアンテナ８４等が配設されている。
【００４９】
また、カメラボディ２１の内部には、通信コネクタ系部材として、カメラボディ２１に対してレンズ鏡筒２２を電気的に接続するために設けられレンズ鏡筒２２側の接点部９８に接続される通信コネクタ５２と、カメラボディ２１とその記録媒体収納部２７に装着された記録媒体８１とを電気的に接続する通信コネクタ５３とが配設されている。
【００５０】
記録媒体８１は、フラッシュメモリ等からなり主画像データを記録する第一の画像記録部８１ａと、縮小画像データを扱うＩＣタグ８２と、デジタルカメラ２０に装着したときにデジタルカメラ２０の通信コネクタ５３の接点部５３ａに接触して両者の電気的な接続を確保する接点部５３ｂ等を具備して構成されている。
【００５１】
第一の画像記録部８１ａに記録される主画像データは、撮影画像データと、各撮影画像データに関する管理データとからなる。この管理データは、個々の撮影画像データに付随する付随情報であって、例えば記録媒体８１が対応するカメラボディ２１の機種データや撮影日時データや撮影画像データのサイズや撮影時の設定条件やデータファイル名等の各種データを含むものである。
【００５２】
第一の画像記録部８１ａは、撮影画像データが記録される画像データ領域と、管理データが記録される管理データ領域とに分けられる。管理データによって第一の画像記録部８１ａの未使用領域のサイズ、すなわちその記録媒体８１の残容量を求めることができるようになっている。
【００５３】
ＩＣタグ８２は、図４に示すように縮小画像データ（サムネイル画像データ）を記録する第二の画像記録部８１ｂと制御部８２ｂとによって構成されるＩＣチップ８２ａと、記録媒体側無線通信部８５の一部を構成する記録媒体側アンテナ８２ｄとによって構成されている。
【００５４】
なお、カメラボディ２１のメインスイッチ８９がオン状態にあるときに、記録媒体８１をカメラボディ２１のカメラ側アンテナ８４に対して所定の距離の範囲内に近付けると、カメラ側アンテナ８４からの磁界によって記録媒体８１のＩＣタグ８２の記録媒体側アンテナ８２ｄに電圧が発生する。これによって、カメラ側無線通信部２９は、記録媒体側無線通信部８５に対して非接触で電力供給をおこなうようになっている。
【００５５】
そして、こうしてデジタルカメラ２０側から供給された電力によって、記録媒体８１のＩＣタグ８２が作動状態となり、同ＩＣタグ８２の制御部８２ｂによる制御によって第二の画像記録部８１ｂへの縮小画像データの記録や同第二の画像記録部８１ｂからの縮小画像データの読み出しがおこなわれるようになっている。
【００５６】
換言すれば、ＩＣタグ８２は、カメラボディ２１と記録媒体８１とが非接触状態において、デジタルカメラ２０側からの電力供給を受けて動作するように構成されている。
【００５７】
ボディ制御用マイクロコンピュータ５１には、デジタルカメラ２０を制御するための制御回路の他に、上述の図１において説明した構成部材のうち主画像記録部１８ａと、縮小画像生成部１９ｂと、縮小画像記録部１８ｂとを内部に含んで構成されている。
【００５８】
リーダライタ回路８３は、上述の図１において説明した構成部材のうちの縮小画像読出部１７に相当するものである。このリーダライタ回路８３は、ボディ制御用マイクロコンピュータ５１の指令によってカメラ側アンテナ８４を介して記録媒体８１との無線通信をおこなうことによって縮小画像データを記録媒体８１側へと伝送するものである。これにより、同縮小画像データは、記録媒体８１側の所定の領域、すなわちＩＣタグ８２の第二の画像記録部８１ｂに記録されるようになっている。
【００５９】
また、同リーダライタ回路８３は、ボディ制御用マイクロコンピュータ５１の指令によってカメラ側アンテナ８４を介して記録媒体８１との無線通信をおこなうことによって縮小画像データを記録媒体８１の第二の画像記録部８１ｂから読み出し得るようになっている。
【００６０】
ＡＦセンサ駆動回路６１は、ボディ制御用マイクロコンピュータ５１の指令を受けてＡＦセンサユニット４０を駆動制御するものである。このＡＦセンサ駆動回路６１からの出力信号は、測距信号としてボディ制御用マイクロコンピュータ５１へと出力されるようになっている。
【００６１】
ミラー駆動機構部６２は、ボディ制御用マイクロコンピュータ５１の指令を受けて反射鏡３１を駆動制御するものである。反射鏡３１は、デジタルカメラ２０が非撮影状態にある時には撮影光路上に配置されている。この状態からデジタルカメラ２０が撮影動作を開始するとボディ制御用マイクロコンピュータ５１は、所定のときにミラー駆動機構部６２を駆動制御して反射鏡３１を撮影光路から退避させるようになっている。
【００６２】
シャッタチャージ機構部６３は、シャッターユニット３３を構成する先幕と後幕とを駆動するための付勢力（ばね力）をチャージするものである。このシャッタチャージ機構部６３によるシャッターユニット３３の先幕と後幕の動きは、ボディ制御用マイクロコンピュータ５１の指令を受けて作動するシャッタ制御回路６４によって制御されるようになっている。
【００６３】
測光回路６８は、ボディ制御用マイクロコンピュータ５１の指令を受けてペンタプリズム３８からの光束に基づく測光処理をおこなうものである。この測光回路６８からの出力信号は、ボディ制御用マイクロコンピュータ５１へと出力されるようになっている。
【００６４】
インターフェース回路７１は撮像素子３７に接続されている。この撮像素子３７によって取得され出力される被写体像の画像信号（撮像信号ともいう）は、インターフェース回路７１を介して画像処理コントローラ７２へと出力されるようになっている。これを受けて画像処理コントローラ７２は、上述の図１において説明した構成部材のうちのデジタル画像データ生成部１９ａを内部に含んで構成され、一時的な記憶領域として設けられるＳＤＲＡＭ７３やＦｌａｓｈＲＯＭ７４を利用して各種所定の画像信号処理をおこなうようになっている。
【００６５】
不揮発性メモリ６５は、ＥＥＰＲＯＭ等によって構成されている。この不揮発性メモリ６５は、本デジタルカメラ２０の各種制御をおこなうのに必要となる所定の制御パラメータを記憶する不揮発性記憶手段として設けられている。そのために、不揮発性メモリ６５は、ボディ制御用マイクロコンピュータ５１からアクセス自在に配設されている。
【００６６】
電源回路８８は、ボディ制御用マイクロコンピュータ５１の指令を受けて電池８７の電圧を当該デジタルカメラシステム１を構成する各回路ユニットに対して個々が必要とする電圧に変換して供給するように構成されている。
【００６７】
レンズ鏡筒２２には、被写体像を形成し光軸Ｏを有する撮影光学系４１と、撮影光学系４１を透過する光束の光量を制限する絞り部４２と、ボディ制御用マイクロコンピュータ５１と協働してレンズ鏡筒２２の各構成部材を駆動制御するレンズ制御用マイクロコンピュータ９５と、撮影光学系４１の駆動制御をおこなうレンズ駆動機構９６と、絞り部４２の駆動制御をおこなう絞り駆動機構９７と、デジタルカメラ２０の通信コネクタ５３の接点部に接触することで撮影光学系４１とデジタルカメラ２０との間の電気的な接続を確保する接点部９８等が配設されている。
【００６８】
レンズ鏡筒２２がカメラボディ２１の前面の所定の部位に装着された状態においては、レンズ制御用マイクロコンピュータ９５は、通信コネクタ５３を介してカメラボディ２１側のボディ制御用マイクロコンピュータ５１に電気的に接続した状態になる。このとき、レンズ制御用マイクロコンピュータ９５は、ボディ制御用マイクロコンピュータ５１の指示に従属するようになっている。したがって、このときレンズ制御用マイクロコンピュータ９５は、ボディ制御用マイクロコンピュータ５１によって制御され、このレンズ制御用マイクロコンピュータ９５によってレンズ鏡筒２２内の制御がおこなわれるようになっている。
【００６９】
撮影光学系４１は、ボディ制御用マイクロコンピュータ５１によって制御されるレンズ制御用マイクロコンピュータ９５を介してレンズ駆動機構９６の一部を構成するＤＣモータ（図示せず）が駆動制御されることによって光軸に沿う所定の方向に移動するようになっている。
【００７０】
また、絞り部４２は、ボディ制御用マイクロコンピュータ５１によって制御されるレンズ制御用マイクロコンピュータ９５を介して絞り駆動機構９７の一部を構成するステッピングモータ（図示せず）が駆動制御されることによって開閉動作をおこなうようになっている。
【００７１】
このように、上述の各駆動モータは、ボディ制御用マイクロコンピュータ５１及びレンズ制御用マイクロコンピュータ９５からの指令にしたがって所定の駆動制御がなされるようになっている。
【００７２】
このように構成される上記一実施形態のデジタルカメラシステム１を用いた撮影動作の概要を以下に説明する。
【００７３】
まず、デジタルカメラ２０のカメラボディ２１に対してレンズ鏡筒２２が装着された状態にする。また、デジタルカメラ２０のカメラボディ２１の記録媒体収納部２７に対して記録媒体８１を装着する。すなわち、カメラボディ２１の記録媒体収納部蓋２８を開状態とした状態で記録媒体８１を記録媒体収納部２７の所定の部位に装着する。そして、記録媒体収納部蓋２８を閉状態とする。これにより、記録媒体８１とデジタルカメラ２０とは、通信コネクタ５３を介して電気的に接続された状態になる。
【００７４】
この状態において、操作者によってデジタルカメラ２０のメインスイッチボタン２３が操作されるとメインスイッチ８９が作動して電源をオン状態にする指令信号がボディ制御用マイクロコンピュータ５１へと伝送される。これを受けてボディ制御用マイクロコンピュータ５１は、レンズ制御用マイクロコンピュータ９５と協働して撮影処理の動作シーケンスを実行する。
【００７５】
この状態において、操作者によってデジタルカメラ２０のレリーズスイッチボタン２５が操作されるとレリーズスイッチ９１が作動する。このレリーズスイッチ９１は二段スイッチによって構成されるスイッチである。
【００７６】
ここで、まず操作者によってレリーズスイッチボタン２５の一段目（ファーストスイッチ；１ｓｔ．ＳＷ）の操作がなされると、レリーズスイッチ９１のファースト操作指示信号（１ｓｔ．ＳＷ）がボディ制御用マイクロコンピュータ５１へと伝送される。これを受けてボディ制御用マイクロコンピュータ５１は、所定の測光処理及び測距処理を実行する。そして、その処理結果を受けてボディ制御用マイクロコンピュータ５１は、レンズ制御用マイクロコンピュータ９５を介してレンズ鏡筒２２の撮影光学系４１の駆動制御（ＡＦ駆動）をおこなう。
【００７７】
続いて、操作者によってレリーズスイッチボタン２５の二段目（セカンドスイッチ；２ｎｄ．ＳＷ）の操作がなされると、レリーズスイッチ９１のセカンド操作指示信号（２ｎｄ．ＳＷ）がボディ制御用マイクロコンピュータ５１へと伝送される。これを受けてボディ制御用マイクロコンピュータ５１は、レンズ制御用マイクロコンピュータ９５を介して絞り駆動機構９７による絞り部４２の駆動制御をおこなう。同時にボディ制御用マイクロコンピュータ５１は、ミラー駆動機構部６２による反射鏡３１の駆動制御をおこなう。また、ボディ制御用マイクロコンピュータ５１は、シャッタ制御回路６４及びシャッタチャージ機構によるシャッターユニット３３の駆動制御をおこなう。さらに、ボディ制御用マイクロコンピュータ５１は、インターフェース回路７１及び画像処理コントローラ７２による撮像素子３７の駆動制御をおこなう。
【００７８】
これにより、レンズ鏡筒２２の撮影光学系４１によって撮像素子３７の受光面上に光学的に結像される被写体像は、電子的な画像信号（撮像信号）に変換される。
【００７９】
こうして生成された画像信号（撮像信号）のうち撮影画像データは、画像処理コントローラ７２からＳＤＲＡＭ７３へと伝送され、ここに一時的に記憶（格納）される。これと同時に、同画像信号（撮像信号）は、画像処理コントローラ７２から通信コネクタ５３を介して記録媒体８１の第一の画像記録部８１ａへと伝送される。そして、この第一の画像記録部８１ａの画像データ領域には撮影画像データが、管理データ領域には管理データがそれぞれ書き込まれる（記録される）。
【００８０】
一方、ボディ制御用マイクロコンピュータ５１は、取得した撮影画像データに基づいて表示確認用の縮小画像データを生成する処理をおこなう。ここで生成された縮小画像データは、リーダライタ回路８３からカメラ側アンテナ８４を介して記録媒体８１へと無線通信によるデータ転送が行なわれる。記録媒体８１の側では、ＩＣタグ８２の記録媒体側アンテナ８２が、これを受ける。受信した縮小画像データは第二の画像記録部８１ｂに記録される。
【００８１】
ここで、記録媒体８１のＩＣタグ８２の第二の画像記録部８１ｂに記録される縮小画像データの内部構造について、図５に示す概念図を用いて以下に説明する。
【００８２】
本実施形態のデジタルカメラシステム１において、記録媒体８１のＩＣタグ８２の第二の画像記録部８１ｂには、上述したように画像を記録するための画像データ領域と、管理データを記録するための管理データ領域とが設けられている。
【００８３】
ＩＣタグ８２は、非常に小さいＩＣチップ上に形成されているため、記録媒体８１の第二の画像記録部８１ｂが記録するすべての主画像データに対応する縮小画像データを記録することができない。したがって、縮小画像データを記録することのできる枚数の制限がある。
【００８４】
ここで、ＩＣタグ８２の第二の画像記録部８１ｂに記録することのできる容量（記録容量）を八枚分の縮小画像データだけの容量であるとする。
【００８５】
この場合において、図５（Ａ）に示すように八枚分の縮小画像データが記録されるまでは順次記録されることになる。そして、図５（Ｂ）に示すように八枚分の縮小画像データが記録された状態になると、それ以後は、最新の四枚分の縮小画像データが記録されるようになっている。
【００８６】
すなわち、図５（Ｂ）に示す状態において、新たに「９枚目」の縮小画像データの記録がなされる場合には、既に記録済みの縮小画像データのうち「５枚目」の縮小画像データが削除された後に、「９枚目」の縮小画像データが記録される。これにより、第二の画像記録部８１ｂの画像データ領域には、記録媒体８１に記録済みの主画像データの最初の１枚目〜４枚目に対応する縮小画像データと、記録媒体８１に記録済みの主画像データの最新の四枚分の縮小画像データとが記録されることになる。
【００８７】
図５（Ｃ）に示す状態は、記録媒体８１に記録済みの主画像データが２０枚分ある場合において第二の画像記録部８１ｂの画像データ領域の状態を示している。すなわち、第二の画像記録部８１ｂの画像データ領域には、最初の１枚目〜４枚目に対応する縮小画像データと、同主画像データの最新の四枚分（１７枚目〜２０枚目）の縮小画像データとが記録されている。
【００８８】
第二の画像記録部８１ｂに記録すべき画像を上述のような設定としているのは、次のような理由によるものである。すなわち、本実施形態においては、縮小画像データは記録媒体８１にどのような画像が記録されているかを確認するためのデータとして扱っているものである。したがって、第二の画像記録部８１ｂに記録されるべき縮小画像データは、記録媒体８１に記録済みの全ての主画像データが必要となるわけではない。この場合に必要となるのは、少なくともその記録媒体８１を用いて撮影をおこなった際に最も初期に撮影した画像と最新の画像のそれぞれいくつかを確認し得るようにすることである。これらいくつかの画像を確認することができれば、使用者は、その記録媒体８１にどのような画像が記録されているかの判断がつくであろうと思われる。つまり、上述したような構成をとることは、少ない容量の第二の画像記録部８１ｂを有効に利用して、記録済み画像の確認をおこなうことができるようになされる工夫である。
【００８９】
なお、上述のように縮小画像データの記録動作を含む画像管理動作は、ＩＣタグ８２の内部に設けられる制御部８２ｂによって実行されるものである。
【００９０】
次に、本実施形態のデジタルカメラシステム１において、記録媒体８１にどのような画像が記録されているかを確認する際の動作を、以下に説明する。
【００９１】
デジタルカメラ２０のメインスイッチ８９がオン状態にあって、かつ記録媒体収納部２７の内部に記録媒体８１が装着されていない状態において、記録媒体８１をデジタルカメラ２０の周辺部から記録媒体収納部２７に対して所定の距離以内に近付ける。
【００９２】
すると、カメラ側アンテナ８４と記録媒体８１のＩＣタグ８２の記録媒体側アンテナ８２ｄとを介した無線通信が実行される。これにより、第二の画像記録部８１ｂに記録されている縮小画像データがリーダライタ回路８３を介してボディ制御用マイクロコンピュータ５１へと伝送される。
【００９３】
次いで、ボディ制御用マイクロコンピュータ５１は、記録媒体８１から伝送された縮小画像データを画像処理コントローラ７２を介して画像表示用ＬＣＤ６９へと伝送する。この画像表示用ＬＣＤ６９は、これを受けて所定の表示形態で縮小画像を表示する。
【００９４】
これら一連の動作は、上述したように使用者がデジタルカメラ２０の記録媒体収納部２７の近傍に記録媒体８１を近付ける行為をおこなうのみで、他のなんらの操作をすることなしに実行される。
【００９５】
ここで、画像表示用ＬＣＤ６９を用いて表示される縮小画像データに基づく表示画像は次のようになる。
【００９６】
図６は、デジタルカメラ２０の画像表示用ＬＣＤ６９において縮小画像データに基づく縮小画像を表形式で並べて表示する一覧表示形式による表示形態の表示例である。
【００９７】
図６に示すように画像表示用ＬＣＤ６９の表示領域を９分割した各領域のそれぞれに、ＩＣタグ８２の第二の画像記録部８１ｂから読み込まれた縮小画像データに基づく画像が順番に並べて表示されるようになっている。
【００９８】
まず、図６（Ａ）に示す状態は、第二の画像記録部８１ｂから読み込んだ縮小画像データが４枚分である場合を示している。この場合、９分割された画像表示用ＬＣＤ６９の表示領域のうち、例えば左上領域から右横に向けて撮影順に三枚分の画像が並べて表示され、四枚目の画像は中段左端に表示されている。なお、画像が表示されている領域以外の部分は、単一色、例えば黒等によって塗り潰された形態での表示がなされている。これにより、記録媒体８１には、それ以上の画像データが存在しないことが確認できる。また、各表示画像には、数字（図６（Ａ）では「１」〜「４」）が重畳された形態で表示されている。この数字は、各表示画像に対応する画像データを特定する数字である。この数字は、例えば記録媒体８１に記録されている撮影画像データの撮影コマ番号に相当する数字であって、撮影画像データと共に記録されている管理データに基づいて設定されている各画像に特有の情報である。
【００９９】
一方、図６（Ｂ）に示す状態は、第二の画像記録部８１ｂから読み込んだ縮小画像データが８枚分、すなわち第二の画像記録部８１ｂの最大記録枚数である場合の例示である。この場合には、読み込んだ全ての縮小画像データが並べて表示されており、これと同時に、９分割された表示領域のうち中央部分の表示領域には、所定の記号、例えば図６に示すような矢印「→」記号が表示されている。このような記号「→」を表示領域の中央部分に表示することによって、記録媒体８１に記録されている撮影画像データのうち最初の１枚目〜４枚目の撮影画像データに対応する縮小画像データに基づく画像と、同記録媒体８１に記録されている撮影画像データのうち最新の４枚分の撮影画像データに対応する縮小画像データに基づく画像が表示されていることが容易に目視確認することができるようになっている。
【０１００】
なお、図６（Ｂ）に示す表示例においては、各表示領域に附される番号表示「１７」〜「２０」によって、記録媒体８１に記録されている撮影画像データのうち最新の４枚分の撮影画像データが１７枚目〜２０枚目であることを示している。
【０１０１】
図６を用いて説明した表示形態は、一覧表示形式による表示形態であるが、縮小画像データに基づく表示形態はこれに限るものではなく、例えば読み込んだ縮小画像データに基づく画像を所定時間毎に一枚づつ表示領域全体を用いて表示するようにしたスライドショー表示形式の表示形態等がある。この表示形態の設定は、例えば予めデジタルカメラ２０におけるモード設定等によって任意に設定するようにしてもよいし、使用者が所定の操作をおこなうことで、その都度任意に表示形態を切り換えるようにしてもよい。
【０１０２】
次に、本実施形態のデジタルカメラシステム１による撮影シーケンス処理の一部について、図７及び図８のフローチャートを用いて以下に詳細に説明する。
【０１０３】
図７は、本実施形態のデジタルカメラシステム１による撮影シーケンス処理のうちのレリーズ処理のサブルーチンの詳細を示すフローチャートである。このレリーズ処理のサブルーチンは、撮影シーケンス処理（メインルーチン；図示せず）においてレリーズスイッチボタン２５の一段目の操作（ファーストレリーズ操作）によって生じるレリーズスイッチ９１のファースト操作指示信号（１ｓｔ．ＳＷ）がボディ制御用マイクロコンピュータ５１によって検知された場合に実行される処理である。
【０１０４】
まず、図７のステップＳ４０において所定の測光処理が実行される。この測光処理は、ボディ制御用マイクロコンピュータ５１の制御下において測光回路６８がおこなう測光動作と、この測光結果に基づいてボディ制御用マイクロコンピュータ５１によりおこなわれる絞り値やシャッター秒時の設定動作等である。その後、ステップＳ４１の処理に進む。
【０１０５】
続いて、次のステップＳ４１において所定の焦点調節処理が実行される。この焦点調節処理は、ボディ制御用マイクロコンピュータ５１の制御下においてＡＦセンサユニット４０がおこなう測距動作と、この測距結果に基づいてボディ制御用マイクロコンピュータ５１及びレンズ制御用マイクロコンピュータ９５の制御下においておこなわれるレンズ駆動機構９６による撮影光学系４１の合焦駆動動作等である。その後、ステップＳ４２の処理に進む。
【０１０６】
次に、ステップＳ４２において、ボディ制御用マイクロコンピュータ５１は、レリーズスイッチ９１のセカンド操作指示信号（２ｎｄ．ＳＷ）のオンオフ状態の確認（チェック）をおこなう。ここで、セカンド操作指示信号（２ｎｄ．ＳＷ）が検出された場合、すなわち同信号がオン状態にあると判断された場合には、次のステップＳ４３の処理に進む。
【０１０７】
一方、セカンド操作指示信号（２ｎｄ．ＳＷ）が検出されなかった場合、すなわち同信号がオフ状態にあると判断された場合には、ステップＳ４８の処理に進む。
【０１０８】
そして、ステップＳ４８において、ボディ制御用マイクロコンピュータ５１は、レリーズスイッチ９１のファースト操作指示信号（１ｓｔ．ＳＷ）のオンオフ状態の確認（チェック）をおこなう。ここで、ファースト操作指示信号（１ｓｔ．ＳＷ）が検出された場合、すなわち同信号がオン状態にあると判断された場合には、上述のステップＳ４２の処理に戻り、以降の処理を繰り返す。
【０１０９】
一方、ファースト操作指示信号（１ｓｔ．ＳＷ）が検出されなかった場合、すなわち同信号がオフ状態にあると判断された場合には、本レリーズ処理のサブルーチンを終了し、所定のメインルーチン（図示せず）に復帰する（リターン）。
【０１１０】
上述のステップＳ４２において、セカンド操作指示信号（２ｎｄ．ＳＷ）が検出されて、ステップＳ４３の処理に進むと、このステップＳ４３において、所定の撮像処理が実行される。この撮像処理は、ボディ制御用マイクロコンピュータ５１の制御下においておこなわれる撮像素子３７による被写体像の光電変換処理等の撮像動作と、この撮像動作によって取得された画像信号を受けて画像処理コントローラ７２等によっておこなわれる画像信号処理等である。この一連の撮像処理によって撮影光学系４１を介して取り込まれる被写体像についてのデジタル画像データが生成される。その後、ステップＳ４４の処理に進む。
【０１１１】
続いて、ステップＳ４４において、所定の画像記録処理が実行される。この画像記録処理は、ボディ制御用マイクロコンピュータ５１の制御下において通信コネクタ５３を介しておこなわれる画像データ（主画像データ）の記録媒体８１への伝送動作と、同画像データを記録媒体８１の第一の画像記録部８１ａの所定の領域へと記録する画像記録動作とである。その後、ステップＳ４５の処理に進む。
【０１１２】
続いて、ステップＳ４５において、ボディ制御用マイクロコンピュータ５１は、上述の画像データ（主画像データ）に基づいて確認表示用の縮小画像データを生成する確認表示用縮小画像作成処理を実行する。その後、ステップＳ４６の処理に進む。
【０１１３】
続いて、ステップＳ４６において、ボディ制御用マイクロコンピュータ５１は、上述のステップＳ４５において生成した確認表示用の縮小画像データを、リーダライタ回路８３及びカメラ側アンテナ８４を介して記録媒体８１の側へと伝送し、同記録媒体８１のＩＣタグ８２の第二の画像記録部８１ｂの所定の領域に記録する確認表示用縮小画像の書き込み処理を実行する。その後、所定のメインルーチン（図示せず）に復帰する（リターン）。
【０１１４】
図８は、本実施形態のデジタルカメラシステム１による撮影シーケンス処理のうちのメディアチェック処理のサブルーチンの詳細を示すフローチャートである。このメディアチェック処理のサブルーチンは、記録媒体８１にどのような画像が記録されているかを確認表示する際に実行されるサブルーチンである。つまり、このメディアチェック処理のサブルーチンは、本デジタルカメラシステム１における撮影シーケンス処理（メインルーチン）において記録媒体８１の交換操作（メディア交換操作ともいう）をおこなう際に、具体的には、例えばデジタルカメラ２０の記録媒体収納部蓋２８が開状態とされて、蓋スイッチ９２のオン信号がボディ制御用マイクロコンピュータ５１によって検知された場合に実行される処理である。
【０１１５】
まず、図８のステップＳ５１において、ボディ制御用マイクロコンピュータ５１は、記録媒体収納部蓋２８の開状態が所定時間以上継続しているか否かの確認をおこなう。この確認は、蓋スイッチ９２がオン状態であるかオフ状態であるかを検知することによって判断される。ここで、記録媒体収納部蓋２８の開状態が所定時間以上継続している状態にあると判断された場合には、次のステップＳ５２の処理に進む。
【０１１６】
ステップＳ５２において、ボディ制御用マイクロコンピュータ５１は、記録媒体８１が記録媒体収納部２７から取り外した状態にあるか否か、すなわち記録媒体８１が取り出し済みであるか否かの確認をおこなう。この確認は、デジタルカメラ２０の通信コネクタ５３の接点部５３ａと記録媒体８１の接点部５３ｂとの接触状態を検知することによって判断される。ここで、記録媒体８１が記録媒体収納部２７に装着されている状態であると判断された場合には、上述のステップＳ５１の処理に戻り、以降の処理を繰り返す。
【０１１７】
また、記録媒体８１が記録媒体収納部２７に装着されていない状態であると判断された場合、すなわち記録媒体８１が取り外されている状態であると判断された場合には、次のステップＳ５３の処理に進む。
【０１１８】
ステップＳ５３において、ボディ制御用マイクロコンピュータ５１は、本デジタルカメラ２０の近傍に記録媒体８１のＩＣタグ８２が存在するか否かを確認するための通信信号の送信する開始する。そして、次のステップＳ５４の処理に進む。
【０１１９】
ステップＳ５４において、ボディ制御用マイクロコンピュータ５１は、ＩＣタグ８２からの返信信号を待機する。ここで、使用者が記録媒体８１を本デジタルカメラ２０の記録媒体収納部２７の近傍に近付けると、同記録媒体８１のＩＣタグ８２からの返信信号を受信することになる。
【０１２０】
そこで、ＩＣタグ８２からの返信信号があった場合（記録媒体８１がデジタルカメラ２０の近傍にある場合）には、この返信信号を受けて次のステップＳ５５の処理に進む。また、ＩＣタグ８２からの返信信号が所定時間内になかった場合（記録媒体８１がデジタルカメラ２０の近傍にない場合）には、ステップＳ５８の処理に進む。
【０１２１】
上述のステップＳ５４において、ＩＣタグ８２からの返信信号を受けてステップＳ５５の処理に進むと、このステップＳ５５において、ボディ制御用マイクロコンピュータ５１は、表示確認用の縮小画像データの読み込み処理を実行する。その後、ステップＳ５６の処理に進む。
【０１２２】
ステップＳ５６において、ボディ制御用マイクロコンピュータ５１は、上述の図６を用いて説明した如き所定の表示処理をおこなう。その後、ステップＳ５１の処理に戻り、以降の処理を繰り返す。
【０１２３】
また、上述のステップＳ５４において、ＩＣタグ８２からの返信信号が所定時間内になかった場合にステップＳ５８の処理に進むと、このステップＳ５８の処理において、ボディ制御用マイクロコンピュータ５１は、画像表示用ＬＣＤ６９を用いた表示動作の実行中であるか否かの確認をおこなう。ここで、表示動作の実行中であることが確認されると、その表示動作を中断させて表示オフ状態とした後、上述のステップＳ５１の処理に戻り、以降の処理を繰り返す。また、表示動作が実行中ではないと判断された場合には、上述のステップＳ５１の処理に戻り、以降の処理を繰り返す。
【０１２４】
一方、上述のステップＳ５１において、記録媒体収納部蓋２８が開状態にない、すなわち閉状態にあると判断された場合には、ステップＳ６０の処理に進む。
【０１２５】
ステップＳ６０において、ボディ制御用マイクロコンピュータ５１は、上述のステップＳ５８と同様に画像表示用ＬＣＤ６９を用いた表示動作の実行中であるか否かの確認をおこなう。ここで、表示動作の実行中であることが確認されると、その表示動作を中断させて表示オフ状態に設定した後、所定のメインルーチン（図示せず）に復帰する（リターン）。また、表示動作が実行中ではないと判断された場合には、ただちに、所定のメインルーチン（図示せず）に復帰する（リターン）。
【０１２６】
このように、上記メディアチェック処理のサブルーチンにおいては、使用者が記録媒体収納部蓋２８を開状態とした後、記録媒体８１を記録媒体収納部２７から取り出すと、無線通信動作が開始される。この場合において、記録媒体収納部蓋２８の開閉動作を無線通信動作及び確認表示の開始トリガーとすることが、無駄な電力消費を防ぐ工夫となっている。
【０１２７】
そして、使用者が記録媒体８１を記録媒体収納部２７に近付けると、その記録媒体８１に予め記録されている縮小画像データがデジタルカメラ２０の側へと伝送されて、その画像表示用ＬＣＤ６９を用いて表示される。
【０１２８】
なお、この場合において、ＩＣタグ８２からの返信が途中で無くなったようなとき（例えば記録媒体８１が記録媒体収納部２７から所定距離以上に遠ざけられた場合など）や、記録媒体８１が記録媒体収納部２７に装着されたことが検出されたときには、確認表示動作は終了することになる。
【０１２９】
以上説明したように上記第一の実施形態によれば、
デジタルカメラ２０は、撮像動作に伴って撮像素子３７を用いて被写体像の画像信号（撮像信号）を生成し、その撮影画像データを作成する。このとき、デジタルカメラ２０は、作成した撮影画像データと各撮影画像データに関する管理データとからなる主画像データを記録媒体８１の第一の画像記録部８１ａに記録すると同時に、この撮影画像データに対応する縮小画像データを生成し、これを記録媒体８１の第二の画像記録部８１ｂに記録するように構成している。そして、デジタルカメラ２０から記録媒体８１を取り出した状態において、使用者がデジタルカメラ２０の記録媒体収納部２７から所定の範囲内に記録媒体８１を近付ける行為をおこなうのみで、他のなんらの操作をすることなしに、記録媒体８１の第二の画像記録部８１ｂに記録されている縮小画像データを無線通信を介してデジタルカメラ２０の側へと読み込んで、この縮小画像データに基づく縮小画像を画像表示用ＬＣＤ６９を用いて所定の形式で表示し得るように構成している。
【０１３０】
したがって、デジタルカメラ２０によって記録媒体８１に記録されている画像データの一部または全部の内容について、デジタルカメラ２０に記録媒体８１が装着されていない状態であっても、煩雑な操作をおこなうことなく極めて容易に確認することができる。
【図面の簡単な説明】
【０１３１】
【図１】本発明の一実施形態のデジタルカメラシステムにおける主要構成要素のうち本発明に関わる構成要素のみを示すブロック構成図。
【図２】本発明の一実施形態のデジタルカメラシステムメラシステムを構成するデジタルカメラを背面側から見た際の外観を示すと共に、記録媒体が装着される際の状態を示す斜視図。
【図３】図２のデジタルカメラシステムの概略構成を示すブロック構成図。
【図４】図２のデジタルカメラシステムにおける記録媒体のＩＣタグの構成を示すブロック構成図。
【図５】図２のデジタルカメラシステムにおける記録媒体のＩＣタグの第二の画像記録部に記録される縮小画像データの内部構造を示す概念図。
【図６】図２のデジタルカメラシステムにおえけるデジタルカメラの画像表示用液晶モニタにおいて縮小画像データに基づく縮小画像を表形式で並べて表示する一覧表示形式による表示形態の表示例を示す図。
【図７】図２のデジタルカメラシステムによる撮影シーケンス処理のうちのレリーズ処理のサブルーチンの詳細を示すフローチャート。
【図８】図２のデジタルカメラシステムによる撮影シーケンス処理のうちのメディアチェック処理のサブルーチンの詳細を示すフローチャート。
【符号の説明】
【０１３２】
１……デジタルカメラシステム
１７……縮小画像読出部１７
１８ａ……主画像記録部
１８ｂ……縮小画像記録部
１９ａ……デジタル画像データ生成部
１９ｂ……縮小画像生成部
２０……デジタルカメラ
２１……カメラボディ
２２……レンズ鏡筒
２３……メインスイッチボタン
２４……モード設定スイッチボタン
２５……レリーズスイッチボタン
２６……ファインダ接眼窓
２７……記録媒体収納部
２８……記録媒体収納部蓋
２９……カメラ側無線通信部
３１……反射鏡
３２……サブミラー
３３……シャッターユニット
３７……撮像素子
３８……ペンタプリズム
３９……接眼レンズ
４０……センサユニット
４１……撮影光学系
４２……絞り部
５１……ボディ制御用マイクロコンピュータ
５２……通信コネクタ（レンズ鏡筒側）
５３    通信コネクタ（記録媒体装着部側）
５３ａ……接点部
５３ｂ……接点部
７１    インターフェース回路
８１……記録媒体
８１ａ……第一の画像記録部
８１ｂ……第二の画像記録部
８２……記録媒体側アンテナ
８２ａ……ＩＣチップ
８２ｂ……制御部
８２ｄ……記録媒体側アンテナ
８３……リーダライタ回路
８４……カメラ側アンテナ
８５……記録媒体側無線通信部
８６ｂ……データ記録部
８９……メインスイッチ
９０……モードスイッチ
９１……レリーズスイッチ
９２……蓋スイッチ
９５……レンズ制御用マイクロコンピュータ
９６……レンズ駆動機構
９７……駆動機構
９８……接点部
６９……画像表示用液晶モニタ（ＬＣＤ）
７５……動作表示用（ＬＣＤ）
代理人弁理士伊藤進
【図１】
2006140630.tif 000003
【図２】
2006140630.tif 000004
【図３】
2006140630.tif 000005
【図４】
2006140630.tif 000006
【図５】
2006140630.tif 000007
【図６】
2006140630.tif 000008
【図７】
2006140630.tif 000009
【図８】
2006140630.tif 000010